(57)【要約】【課題】レンズのピント位置、絞り開口、シャッタ速度などの撮影条件を１つの部品に持たせて、その部品１つだけを取替えることで、いくつもの品種のレンズ付きフイルムユニットを製造できるようにする。【解決手段】レンズベース５０にストッパー５０ａ、絞り開口５０ｂ、レンズ受け部５０ｃおよびレンズカバー係止爪５０ｅを一体に形成する。ストッパー５０ａはシャッタ羽根４０が開き方向に回動したときにシャッタ羽根に当接してその最大回動量を制限する。絞り開口５０ｂは撮影レンズ６０を通り写真フイルムに達する被写体光の光量を制限する。レンズ受け部５０ｃは前記撮影レンズ６０を光軸方向で位置決めする。レンズカバー係止爪５０ｅは前記撮影レンズ６０を収容するレンズ筒５０ｄと、このレンズ筒５０ｄの前端に装着され前記撮影レンズ６０を前記レンズ受け部５０ｃとの間に挟持するレンズカバー７０を係止する。【選択図】図３
2007256516.tif 000002
【特許請求の範囲】
【請求項１】
未露光の写真フイルムが予め装填され、レンズベースで保持された撮影レンズと、この撮影レンズの背後で蹴飛ばし式に回動するシャッタ羽根とを備えたレンズ付きフイルムユニットにおいて、
前記レンズベースに、撮影レンズを光軸方向で位置決めするレンズ受け部と、撮影レンズを通り前記写真フイルムに達する被写体光の光量を制限する絞り開口と、前記シャッタ羽根が開き方向に回動したときにシャッタ羽根に当接して、その最大回動量を制限するストッパーとを一体に形成したことを特徴とするレンズ付きフイルムユニット。
【請求項２】
前記撮影レンズは、レンズベースに一体に形成されたレンズ筒に収容され、このレンズ筒の前端にレンズカバーを装着することによって、前記レンズ受け部との間に挟持されることを特徴とする請求項１記載のレンズ付きフイルムユニット。
【請求項３】
シャッタ羽根が当接する前記ストッパーの受け面は、撮影レンズの光軸と閉じ位置にあるシャッタ羽根の交点位置がシャッタ羽根の回動で移動するときの軌跡の延長線上に設けられ、かつシャッタ羽根がストッパーに当接した時の前記交点位置と前記シャッタ羽根の回動中心とを結ぶ線と平行な平面であることを特徴とする請求項１または２記載のレンズ付きフイルムユニット。
【請求項４】
未露光の写真フイルムが予め装填され、レンズベースで保持された撮影レンズと、この撮影レンズの背後で蹴飛ばし式に回動するシャッタ羽根とを備えたレンズ付きフイルムユニットの製造方法において、
前記レンズベースには、撮影レンズを光軸方向で位置決めするレンズ受け部と、撮影レンズを通り前記写真フイルムに達する被写体光の光量を制限する絞り開口と、前記シャッタ羽根が開き方向に回動したときにシャッタ羽根に当接して、その最大回動量を制限するストッパーとが一体に形成され、
これらレンズ受け部と、絞り開口と、ストッパーのそれぞれの位置寸法が異なる組み合わせの前記レンズベースを複数準備し、前記レンズベースのみを替えることによって、撮影条件の異なる複数の品種の作り分けを可能としたレンズ付きフイルムユニットの製造方法。
【発明の詳細な説明】
【技術分野】
【０００１】
本発明は未露光の写真フイルムが予め装填され、レンズベースで保持された撮影レンズと、この撮影レンズの背後で蹴飛ばし式に回動するシャッタ羽根とを備えたレンズ付きフイルムユニットおよびレンズ付きフイルムユニットの製造方法に関するものである。
【背景技術】
【０００２】
いつでもどこでも手軽に写真撮影を楽しむことができるレンズ付きフイルムユニットが提供されている。レンズ付きフイルムユニットの構造は単純で、基本的に撮影レンズ、シャッタ機構、及び未露光の写真フイルムから形成され、オートフォーカスやオート露出機構などは装備されていない。
【０００３】
未露光の写真フイルムは、カートリッジから引き出され、本体ベースの一方側に設けたフイルム室に収納されている。カートリッジは他方側に設けたカートリッジ室に装填され、撮影する毎に撮影済みの写真フイルムを収納していく。カートリッジ室は、被写体側の前方がカートリッジの外周に相似する周面となった断面Ｕ字状の形状をしている。
【０００４】
撮影レンズとしては、大量生産が可能なプラスチック製のレンズを１枚又は２枚で構成したものが知られており、例えば３５ｍｍ幅のカートリッジ付き写真フイルム（１３５タイプ）や２４ｍｍ幅のカートリッジ付き写真フイルム（ＩＸ２４０タイプ）を内蔵する場合、焦点距離が例えば３５ｍｍ以下の準広角レンズが用いられる。この準広角レンズを用いることで、レンズ部の厚みを薄くすることができ、しかもコンパクトカメラと同じ焦点距離の撮影レンズと比べ、絞り開口を小さくし、Ｆナンバーを例えば１０程度となるようにして、被写体深度を深くし、それによって、ピント調節機構を備えていなくても遠距離から近距離までの広い範囲において良好な画質を得ている。
【０００５】
また、内蔵する写真フイルムは、ＩＳＯ４００のものが一般的であるが、ＩＳＯ８００やＩＳＯ１６００など感度の高いフイルムを採用しているものもある。
【０００６】
また、フラッシュ装置を搭載することによって、暗い室内等でも撮影を行うことができるようにしたストロボ内蔵型もある。
【０００７】
シャッタ機構は、ローコスト化を図るために、揺動自在な１枚のシャッタ羽根を持ち、この一端を蹴飛ばして露光開口を開閉する蹴飛ばしタイプのシャッタ機構が用いられている。
【０００８】
このシャッタ機構は、シャッタ駆動レバー、シャッタ羽根、及び戻しバネなどで構成されている。シャッタ駆動レバーは、フイルム巻き上げ操作に応答して初期位置からチャージ位置にチャージバネの付勢に抗して往動し、またシャッタレリーズ操作に応答してチャージ位置から初期位置にチャージバネの開放力で復動する。
【０００９】
シャッタ羽根は、一端に爪部が、また他端に開閉部がそれぞれ設けられており、シャッタ駆動レバーが復動するときにその一端によって爪部が蹴飛ばされ、爪部と開閉部との間に設けた軸着部を中心に回動して開閉部が露光開口を開く。露光開口を開放した後は、戻しバネの付勢により戻されて開閉部が露光開口を塞ぐ（下記特許文献１参照）。
【００１０】
近年、レンズ付きフイルムユニットには、フイルムの高感度化に伴い、蹴飛ばしタイプのシャッタ機構を用いてストロボ撮影時にシャッタ速度をメカ的に切替えるタイプ（下記特許文献２参照）や、絞りを切替えるタイプ（下記特許文献３および４参照）が提案されている。
【００１１】
また各種販売されているレンズ付きフイルムユニットの一つに、高感度の写真フイルムを装填するとともに、シャッタ速度や絞りを可変にし、室内や夜間の撮影での背景描写性を向上させたものがある。このレンズ付きフイルムユニットは、室内や夜間での撮影時に主要被写体にフラッシュをあてて十分な明るさを確保した上で、背景を写し込める仕様となっている。
【００１２】
高感度の写真フイルムが装填されたモード切替え型のレンズ付きフイルムユニットとして、本出願人により製造販売されているレンズ付きフイルムユニット「Ｎｉｇｈｔ＆Ｄａｙ（商品名）」が知られている。このレンズ付きフイルムユニットは、日中屋外等の明るい場所での撮影に対応する日中撮影モード（ストロボ発光せず）と日中シンクロ撮影モード（ストロボ発光あり）と、夜景や暗い室内を背景にし、その背景を適当な濃度で再現しながら人物等の主要被写体をストロボ光で撮影する場合に対応する夜景シンクロ撮影モードの３つの撮影モードを備えている。（下記特許文献５および６参照）
【００１３】
この他にも花などを接近して撮影することができるタイプのレンズ付きフイルムユニットも発売されている。
【００１４】
このように多種多様のレンズ付きフイルムユニットが商品化されており、ユーザーは用途に応じたものを選択して写真撮影を楽しむことができる。
【００１５】
一方、資源節約を図るとともに、産業廃棄物を削減するために、レンズ付きフイルムユニットのリサイクルが積極的に進められている。ユーザーが撮影済の写真フイルムを収納したレンズ付きフイルムユニットを現像取扱店に持っていくと、このレンズ付きフイルムユニットは更に現像所に集められ、ここで写真フイルムが取り出されてフイルム現像、プリント処理が施される。写真フイルムが取り出されたレンズ付きフイルムユニットはメーカーによって回収され、部品ごとに分解された後、再使用可能なものはそのまま製造工程に供給され、使用できないものは原材料としての利用が図られている。また、シャッタ機構等のようにユニット化されたものについては機能検査を行い、ユニット単位で再使用の可否が判定される。
【００１６】
この時、前述のようにレンズ付きフイルムユニットの品種が多種多様になっているので、回収されたレンズ付きフイルムユニットの部品は、他の品種のレンズ付きフイルムユニットに再利用出来ず、リサイクルの効率が極めて悪い状態となっている。
【特許文献１】特開平０６−２５８６８６号公報
【特許文献２】特開平１１−３２６９８７号公報
【特許文献３】特開平１１−１８０６７４号公報
【特許文献４】特開２００１−１６２８０３号公報
【特許文献５】特開２００２−１３９１９３号公報
【特許文献６】特開２００２−２４２５７２号公報
【発明の開示】
【発明が解決しようとする課題】
【００１７】
近年、ユーザーの要求は多様となり、レンズ付きフイルムユニットの品種も増える一方であるが、そのために使用する専用の部品も多く、１つの部品が少量多種となって製造コストを押し上げ、リサイクルにおいては、その再利用の効率を悪くしている。
【００１８】
本発明は上記問題点を解決するためになされたもので、レンズおよびレンズのジャストピント位置、被写体光の光量を制限する絞り開口、シャッタ速度など撮影条件の違いにベストに対応する条件を全て１つの部品に持たせて、その部品１つだけを取替えることで、いくつもの品種のレンズ付きフイルムユニットを製造できるようにすることを目的とする。
【課題を解決するための手段】
【００１９】
上記目的を達成するために、本発明のレンズ付きフイルムユニットは、撮影レンズを光軸方向で位置決めするレンズ受け部と、撮影レンズを通り前記写真フイルムに達する被写体光の光量を制限する絞り開口と、前記シャッタ羽根が開き方向に回動したときにシャッタ羽根に当接して、その最大回動量を制限するストッパーとを一体に形成し、レンズベース１つを取替えるだけで、いくつもの品種のレンズ付きフイルムユニットを製造できるようにしたことを特徴とする。
【００２０】
また前記撮影レンズは、レンズベースに一体に形成されたレンズ筒に収容され、このレンズ筒の前端にレンズカバーを装着することによって、前記レンズ受け部との間に挟持されるようにすると良い。
【００２１】
また高速シャッタを備えるレンズ付きフイルムユニットに組み込むレンズベースは、シャッタ羽根が当接する前記ストッパーの受け面が、撮影レンズの光軸と閉じ位置にあるシャッタ羽根の交点位置がシャッタ羽根の回動で移動するときの軌跡の延長線上に設けられ、かつシャッタ羽根がストッパーに当接した時の前記交点位置と前記シャッタ羽根の回動中心とを結ぶ線と平行な平面とすると良い。
【００２２】
また本発明によるレンズ付きフイルムユニットの製造方法では、異なる撮影条件にそれぞれベストに対応させるため、複数のレンズベースを準備すると良い。
【発明の効果】
【００２３】
本発明のレンズ付きフイルムユニットおよびレンズ付きフイルムユニットの製造方法によれば、レンズ付きフイルムユニットを構成する多くの部品のうち、レンズベース１つを商品仕様の数だけ複数準備するだけで、多種多様のユーザーの要求仕様を満足させる多くのレンズ付きフイルムユニットを製造することが出来、多品種少量製造につきもののコストアップを押さえ、リサイクルにおいては、その再利用の効率アップを可能とする。
【発明を実施するための最良の形態】
【００２４】
本発明では数種類のレンズ付きフイルムユニットを製造するのに、レンズベースのみをそれぞれ専用に準備し、他の部品は全て共通で良い。レンズベース各部の設定条件を図２１に表として示す。
【００２５】
本発明によるレンズ付きフイルムユニットおよびレンズ付きフイルムユニットの製造方法について、以下説明を行う。図１に示すレンズ付きフイルムユニット２は、標準撮影用のレンズ付きフイルムユニットである。写真フイルムが装填され各種撮影機構が組み込まれたユニット本体３と、このユニット本体３の外周に巻き付けられるようにして貼付されるラベル４とからなる。ラベル４には、ユニット本体３の各部を露呈させるための開口が形成されている。
【００２６】
ユニット本体３の前面には、撮影レンズ６０，対物側ファインダ窓６，ストロボ発光部７，ストロボ操作部材８等が設けられている。ユニット本体３の上面には、シャッタボタン１１，カウンター表示窓１２，充電完了表示部材１３等が設けられている。ユニット本体３の背面からは、撮影後のフイルム巻き上げに用いられる巻上げノブ１４の一部が露呈されている。
【００２７】
図２に分解して示すように、ユニット本体３は、メカユニット２５，本体ベース１６，ストロボユニット１７，前カバー１８，後カバー１９，フイルムカートリッジ２０から構成されている。フイルムカートリッジ２０はＩＸ２４０タイプのものであり、カートリッジ本体２１とこのカートリッジ本体２１内に収納される写真フイルム２２とからなる。
【００２８】
本体ベース１６の前面中央部には、アパーチャー１５が設けられている。写真フイルム２２は、このアパーチャー１５に対面する位置で停止された後に露光される。前記本体ベース１６に設けられたカートリッジ室の上部には、巻上げノブ１４が回転自在に取り付けられる。この巻上げノブ１４の下面には駆動軸が一体に設けられており、この駆動軸はカートリッジ室に装填されたカートリッジ本体２１のスプールの端部に係合する。１コマの撮影後に前記巻上げノブ１４を回転操作すると、写真フイルム２２の露光済みの部分がカートリッジ本体２１内に巻き上げられる。
【００２９】
メカユニット２５の一部分解図を図３に示す。メカユニット２５は前記本体ベース１６に係止爪により係止されている。メカユニット２５は基部となる暗箱を形成するメカベース２６とその他の機構部品によって構成されている。メカベース２６の上側面には、ファインダーユニット２７、フイルム巻き止め機構２８、カウンター機構２９、シャッタチャージ機構３０が組みつけられている。
【００３０】
また、メカベース２６の前面には、シャッタベース３５が一体に形成されている。シャッタ羽根４０は、メカベース２６に設けられた軸３７に、軸着穴４５が回転可能に嵌合し、閉じ位置にある時は、開閉部４３が、シャッタベース３５に設けられた露光開口３６を覆っている。
【００３１】
前記巻上げノブ１４によって前記露光済みのフイルム２２が前記カートリッジ本体２１に収納されるとき、この巻き上げ力によって前記シャッタチャージ機構３０が作動し、シャッタ駆動レバー３３がチャージ位置にセットされる。
【００３２】
ここで前記シャッタボタン１１を押し下げると、前記シャッタ駆動レバー３３の係止が解除され、初期位置まで高速で戻る。この時、その移動上に前記シャッタ羽根４０の爪部４２が張り出しているため、爪部４２は強い力で蹴飛ばされる。蹴飛ばされた前記シャッタ羽根４０は、前記メカベース２６に設けられた軸３７を中心に時計方向に回動し、前記シャッタ羽根４０の開閉部４３は、絞り開口５０ｂを開いた後、レンズベース５０に設けられたストッパー５０ａに当接する。前記シャッタ羽根４０は、ストッパー５０ａに当接した後、反転し、戻しバネ３９により、前記絞り開口５０ｂを閉じる初期位置に復帰する。
【００３３】
図５はシャッタ羽根４０の爪部４２がシャッタレバー３３によって蹴飛ばされ、開閉部４３が回動し、開閉部４３の縁がレンズベース５０に設けられたストッパー５０ａに当接した瞬間の状態を示す。ここでは開閉部４３が時計方向に回動し露光開口３６を露呈している。
【００３４】
この時、前記シャッタ羽根４０が前記絞り開口５０ｂを開いた後、前記ストッパー５０ａに当接するまでの距離によって、当接した時の前記シャッタ羽根４０の受ける反発力の大きさが異なってくる。いま前記ストッパー５０ａは所定の位置に配置されており、シャッタ速度は１／１４０秒に設定されている。（図６および図１２参照）
【００３５】
図６はレンズベース５０をシャッタ側から見たときを示し、Ａ−Ａ矢視断面を図１１として、前記絞り開口５０ｂとレンズ受け部５０ｃ、レンズ筒５０ｄ、レンズカバー係止爪５０ｅを示す。また、ストッパー５０ａ（Ｂ部円内）の拡大図を図１２に示す。
【００３６】
前記絞り開口５０ｂはＦ１０と標準的な明るさとなるように設定してあり、前記レンズ受け部５０ｃは撮影レンズ６０のジャストピント位置が３．５ｍになるように設定してある（図１１参照）。
【００３７】
撮影レンズ６０は、レンズベース５０に一体に形成されたレンズ筒５０ｄに収容され、このレンズ筒５０ｄの前端にレンズカバー７０を装着することによって、前記レンズ受け部５０ｃとの間に挟持される。レンズカバー７０は、一体に形成された被係止部７０ａがレンズベース５０に一体に形成されたレンズカバー係止爪５０ｅと係合し、撮影レンズ６０を固定、位置決めする。
【００３８】
機種が異なるとレンズ受け部の位置やレンズ筒の長さが違ってくるが、レンズ筒の前端からレンズカバー係止爪までの寸法は、レンズベースが変わっても同じとされており、レンズカバー７０は共通に使用可能となっている。
【００３９】
次に、スポーツ撮影用のレンズ付きフイルムユニットについて説明する。ここで用いるレンズベース５１を図７および図１３、図１４に示す。スポーツシーンなど動きのある被写体を撮影するのに適したものとするために、シャッタ速度は標準撮影用より速く、例えば１／２００秒とし、同じレンズを使い被写体深度を深くするため、絞り値はＦ１４として使用し、装填するフイルムはＩＳＯ感度１６００の高感度品を用いる。
【００４０】
この時、前記シャッタ羽根４０が絞り開口５１ｂを開いた後、ストッパー５１ａに当接するまでの距離によって、当接した時の前記シャッタ羽根４０の受ける反発力の大きさが異なってくるので、前記ストッパー５１ａは、前記シャッタ羽根４０が絞り開口５１ｂを開いた後、直ちに当接する位置に配置する。そのため、その反発力は大きく、前記シャッタ羽根４０が初期位置に戻るまでの時間が短くなる。
【００４１】
前記シャッタ羽根４０が当接する前記ストッパー５１ａの受け面は、撮影レンズ６１の光軸と閉じ位置にある前記シャッタ羽根４０の交点位置が前記シャッタ羽根４０の回動で移動するときの軌跡の延長線上に設けられ、かつ前記シャッタ羽根４０がストッパー５１ａに当接した時の前記交点位置と前記シャッタ羽根４０の回動中心とを結ぶ線と平行な平面となっており反発力が大きい。
【００４２】
絞り開口５１ｂはＦ１４と標準撮影用より少し小さくしてあるので、シャッタ速度を速くする時には有利であり、前記レンズベース５１に設けられたレンズ受け部５１ｃの位置は、スポーツシーンの撮影を考えて標準撮影用よりやや深くし、前記撮影レンズ６１のジャストピント位置を５．６ｍにしてある。
【００４３】
前記撮影レンズ６１は、前記レンズベース５１に一体に形成されたレンズ筒５１ｄに収容され、このレンズ筒５１ｄの前端に前記レンズカバー７０を装着することによって、前記レンズ受け部５１ｃとの間に挟持される。前記レンズカバー７０は、一体に形成された被係止部７０ａが前記レンズベース５１に一体に形成されたレンズカバー係止爪５１ｅに係合し前記撮影レンズ６１を固定、位置決めする。
【００４４】
前記レンズ受け部５１ｃの位置や前記レンズ筒５１ｄの長さが異なっても、前記レンズ筒５１ｄの前端から前記レンズカバー係止爪５１ｅまでの寸法は、前記標準撮影用のレンズベース５０と同じとなっており、機種が変わっても前記レンズカバー７０は共通に使用することができる。
【００４５】
以上のように、このスポーツシーンの撮影に適したレンズ付きフイルムユニットが、標準撮影用と異なるところは、シャッタ速度とレンズのＦナンバーとピントセット位置の３ヶ所だけであり、そのいずれも、レンズベース５１に設けられたストッパー５１ａ、絞り開口５１ｂおよびレンズ受け部５１ｃの寸法を変更しただけで、新たな部品の追加は何ひとつ使用していない。また標準撮影用に比べ、シャッタ速度が速くレンズが暗いため露光量が少なくなってしまうので、これを改善するためＩＳＯ１６００の高感度フイルムを装填することが良い。
【００４６】
このように、レンズベースを取替えるだけで、標準撮影用とスポーツ撮影用を作り分けることが出来る。
【００４７】
次に、比較的暗い室内の撮影に適した室内撮影用のレンズ付きフイルムユニットについて説明する。シャッタ羽根側から見たレンズベース５２を図８に示し、Ａ−Ａ矢視断面を図１５として、絞り開口５２ｂとレンズ受け部５２ｃ、レンズ筒５２ｄ、レンズカバー係止爪５２ｅを示し、ストッパー５２ａ（Ｂ部円内）の拡大図を図１６にて示した。
【００４８】
室内の撮影を主目的としたものであるから、その撮影範囲は比較的近距離なので、レンズのピントセット位置は２ｍ程度にする。そのためレンズ受け部５２ｃは標準撮影用より少し前方に配置されている。
【００４９】
ストッパー５２ａは標準撮影用の前記レンズベース５０のストッパー５０ａより更に短く、シャッタ羽根４０の当接する面は光軸より大きく離れている。これによってシャッタ羽根４０の反転タイミングは遅くなり、露光時間が長くなる。また、絞り開口５２ｂは、前記レンズベース５０の絞り開口５０ｂと比べ十分に大きくＦ４となっており、室内でのストロボ撮影で暗くなる背景をより明るく写すことができる。
【００５０】
このようにレンズベースを専用のものにすることによって、室内撮影に最も適したものとすることが出来る。
【００５１】
次に前述の室内撮影用とは反対に日中の屋外晴天時に使用するストロボのついていないものに用いるレンズベース５３について説明する。シャッタ羽根側から見たレンズベース５２を図９に示し、Ａ−Ａ矢視断面を図１７として、絞り開口５３ｂとレンズ受け部５３ｃ、レンズ筒５３ｄ、レンズカバー係止爪５３ｅを示し、ストッパー５３ａ（Ｂ部円内）の拡大図を図１８にて示した。
【００５２】
前記レンズベース５３の前記絞り開口５３ｂは前記スポーツ撮影用のレンズベース５１の絞り開口５１ｂと同じＦ１４にして良好なピント範囲を広くし、前記レンズ受け部５３ｃは前記スポーツ撮影用のレンズベース５１のレンズ受け部５１ｃと同じにして、屋外での撮影を考慮している。しかしシャッタ速度は特に速くする必要がないので、前記ストッパー５３ａは前記標準撮影用のレンズベース５０のストッパー５０ａと同じになっている。
【００５３】
次に花などを接近して写すことができる近接撮影用のレンズ付きフイルムユニットに使用するレンズベース５４を図１０に示す。Ａ−Ａ矢視断面を図１９として、絞り開口５４ｂとレンズ受け部５４ｃ、レンズ筒５４ｄ、レンズカバー係止爪５４ｅを示し、ストッパー５４ａ（Ｂ部円内）の拡大図を図２０にて示す。
【００５４】
前記レンズベース５４の絞り開口５４ｂは標準撮影用のレンズベース５０の絞り開口５０ｂと同じＦ１０とし、レンズ受け部５４ｃは被写体に接近して撮影するため、他のものと比べ大きく前に配置されている。これはレンズのジャストピント位置を１ｍより近い例えば７０ｃｍにセットするためである。ストッパー５４ａは前記室内撮影用のレンズベース５２のストッパー５２ａと同じ位置になっている。
【００５５】
このように本発明のレンズ付きフイルムユニットおよびレンズ付きフイルムユニットの製造方法によれば、レンズ付きフイルムユニットを構成する多くの部品のうち、レンズベース１つを商品仕様の数だけ複数準備するだけで、多種多様のユーザーの要求を満足させる多くのレンズ付きフイルムユニットを製造することが出来、多品種少量製造につきもののコストアップを押さえ、リサイクルにおいては、その再利用の効率アップを可能とすることができる。
【図面の簡単な説明】
【００５６】
【図１】本発明のレンズ付きフイルムユニットの概観を示す斜視図である。
【図２】本体ユニットの分解を示す斜視図である。
【図３】露光ユニットの一部分解を示す斜視図である。
【図４】シャッタ羽根の閉じた状態を前面から見た図である。
【図５】シャッタ羽根の開いた状態を前面から見た図である。
【図６】標準撮影用のレンズベースをシャッタ羽根側から見た図でストッパーと絞り開口を示す図である。
【図７】スポーツ撮影用のレンズベースをシャッタ羽根側から見た図でストッパーと絞り開口を示す図である。
【図８】室内撮影用のレンズベースをシャッタ羽根側から見た図でストッパーと絞り開口を示す図である。
【図９】屋外晴天撮影用のレンズベースをシャッタ羽根側から見た図でストッパーと絞り開口を示す図である。
【図１０】近接撮影用のレンズベースをシャッタ羽根側から見た図でストッパーと絞り開口を示す図である。
【図１１】図６に示す標準撮影用のレンズベースのＡ−Ａ矢視断面図である。
【図１２】図６に示す標準撮影用のレンズベースのストッパー部分（Ｂ部円内）の拡大図である。
【図１３】図７に示すスポーツ撮影用のレンズベースのＡ−Ａ矢視断面図である。
【図１４】図７に示すスポーツ撮影用のレンズベースのストッパー部分（Ｂ部円内）の拡大図である。
【図１５】図８に示す室内撮影用のレンズベースのＡ−Ａ矢視断面図である。
【図１６】図８に示す室内撮影用のレンズベースのストッパー部分（Ｂ部円内）の拡大図である。
【図１７】図９に示す屋外晴天撮影用のレンズベースのＡ−Ａ矢視断面図である。
【図１８】図９に示す屋外晴天撮影用のレンズベースのストッパー部分（Ｂ部円内）の拡大図である。
【図１９】図１０に示す近接撮影用のレンズベースのＡ−Ａ矢視断面図である。
【図２０】図１０に示す近接撮影用のレンズベースのストッパー部分（Ｂ部円内）の拡大図である。
【図２１】レンズベース各部の設定条件を品種別に示した表である。
【符号の説明】
【００５７】
２６  メカベース
４０  シャッタ羽根
５０，５１，５２，５３，５４  レンズベース
５０ａ，５１ａ，５２ａ，５３ａ，５４ａ  ストッパー
５０ｂ，５１ｂ，５２ｂ，５３ｂ，５４ｂ  絞り開口
５０ｃ，５１ｃ，５２ｃ，５３ｃ，５４ｃ  レンズ受け部
５０ｄ，５１ｄ，５２ｄ，５３ｄ，５４ｄ  レンズ筒
５０ｅ，５１ｅ，５２ｅ，５３ｅ，５４ｅ  レンズカバー係止爪
６０，６１，６２，６３，６４  撮影レンズ
７０  レンズカバー
【図１】
2007256516.tif 000003
【図２】
2007256516.tif 000004
【図３】
2007256516.tif 000005
【図４】
2007256516.tif 000006
【図５】
2007256516.tif 000007
【図６】
2007256516.tif 000008
【図７】
2007256516.tif 000009
【図８】
2007256516.tif 000010
【図９】
2007256516.tif 000011
【図１０】
2007256516.tif 000012
【図１１】
2007256516.tif 000013
【図１２】
2007256516.tif 000014
【図１３】
2007256516.tif 000015
【図１４】
2007256516.tif 000016
【図１５】
2007256516.tif 000017
【図１６】
2007256516.tif 000018
【図１７】
2007256516.tif 000019
【図１８】
2007256516.tif 000020
【図１９】
2007256516.tif 000021
【図２０】
2007256516.tif 000022
【図２１】
2007256516.tif 000023